(57)【要約】【課題】カセットテープの録画防止用の穴の有無を検出せずに、カセットテープの録画可能／不可能を設定して、誤って録画を指令する録画キーが押下されたときであっても、カセットテープの録画を防止することができるようにする。【解決手段】カセットテープの録画可能／不可能を設定して、設定された録画可能／不可能をメモリに記憶し、録画不可能に設定されている場合、録画が指令されたとき、録画不可能をモニタ装置の画面に表示して録画を防止し、録画可能に設定されている場合、録画が指令されたとき、録画の警告を表示して録画を防止し、録画の警告がモニタ装置の画面に表示されている場合に録画が指令されたとき、録画することができるようにする。【選択図】        図１
2004220660.tif 000002
【特許請求の範囲】
【請求項１】
カセットテープに映像音声信号を録画再生するビデオ装置及びそのリモコン装置において、ビデオ装置は、カセットテープの録画可能／不可能を設定する設定手段と、前記設定手段により設定された録画可能／不可能を記憶する不揮発性の記憶手段と、前記不揮発性の記憶手段に記憶されている録画可能／不可能を判別する判別手段と、前記判別手段により判別された判別結果に基づいて、カセットテープの録画を制御する制御手段と、カセットテープの録画の警告と録画不可能とを表示する表示手段と、カセットテープの録画を警告する第１の警告手段とを備え、ビデオ装置のリモコン装置は、ビデオ装置の動作を指令する複数の指令手段と、前記指令手段により録画が指令されたか否かを判別する判別手段と、録画を警告する第２の警告手段とを備え、前記設定手段によりカセットテープの録画可能／不可能を設定して、設定された録画可能／不可能を前記不揮発性の記憶手段に記憶し、録画不可能に設定されている場合、前記指令手段により録画が指令されたとき、前記第２の警告手段により録画を警告するとともに、前記表示手段により録画不可能を表示して録画を防止し、録画可能に設定されている場合、前記複数の指令手段により録画が指令されたとき、前記第２の警告手段により録画を警告し、前記第１の警告手段により録画を警告するとともに、前記表示手段により録画の警告を表示して録画を防止し、前記表示手段により録画の警告が表示されている場合に前記指令手段により録画が指令されたとき、前記第２の警告手段により録画を警告して録画することができるようにしたことを特徴とするビデオ装置及びそのリモコン装置。
【請求項２】
カセットテープに映像音声信号を録画再生するビデオ装置において、カセットテープの録画を指令する録画指令手段と、カセットテープの録画可能／不可能を設定する設定手段と、前記設定手段により設定された録画可能／不可能を記憶する記憶手段と、前記記憶手段に記憶されている録画可能／不可能を判別する判別手段と、前記判別手段により判別された判別結果に基づいて、カセットテープの録画を制御する制御手段と、カセットテープの録画の警告と録画不可能とを表示する表示手段とを備え、前記設定手段によりカセットテープの録画可能／不可能を設定して、設定された録画可能／不可能を前記記憶手段に記憶し、録画不可能に設定されている場合、前記録画指令手段により録画が指令されたとき、前記表示手段により録画不可能を表示して録画を防止し、録画可能に設定されている場合、前記録画指令手段により録画が指令されたとき、前記表示手段により録画の警告を表示して録画を防止し、前記表示手段により録画の警告が表示されている場合に前記録画指令手段により録画が指令されたとき、録画することができるようにしたことを特徴とするビデオ装置。
【請求項３】
前記記憶手段は、不揮発性メモリであることを特徴とする請求項２記載のビデオ装置。
【請求項４】
カセットテープの録画を警告する第１の警告手段を備え、録画可能に設定されている場合、前記録画指令手段により録画が指令されたとき、前記第１の警告手段により録画を警告するようにしたことを特徴とする請求項２記載のビデオ装置。
【請求項５】
前記第１の警告手段は、赤色ＬＥＤであり、録画可能に設定されている場合、カセットテープの録画が指令されたとき、赤色ＬＥＤを点滅して録画を警告するようにしたことを特徴とする請求項１又は請求項４のいずれかに記載のビデオ装置。
【請求項６】
ビデオ装置を遠隔操作するリモコン装置であって、ビデオ装置の動作を指令する複数の指令手段と、前記指令手段により録画が指令されたか否かを判別する判別手段と、録画を警告する第２の警告手段とを備え、前記指令手段により録画が指令されたとき、前記第２の警告手段により録画を警告するようにしたことを特徴とするのビデオ装置のリモコン装置。
【請求項７】
前記第２の警告手段は、赤色ＬＥＤであり、カセットテープの録画が指令されたとき、赤色ＬＥＤを点滅して録画を警告するようにしたことを特徴とする請求項１又は請求項６のいずれかに記載のビデオ装置のリモコン装置。
【発明の詳細な説明】
【０００１】
【発明の属する技術分野】本発明は、カセットテープに映像音声信号を録画再生するビデオ装置及びそのリモコン装置に係り、特に、カセットテープの録画防止用の穴の有無を検出せずに、カセットテープの録画可能／不可能を設定する機能を有するビデオ装置及びそのリモコン装置に関する。
【０００２】
【従来の技術】周知のように、カセットテープには録画防止用の穴を塞ぐツメが設けられていて、カセットテープに設けられたツメを折ることにより、装着されたカセットテープの録画防止用の穴が検出されて、カセットテープの録画が防止されるようになっている。そのため、装着されたカセットテープが録画防止か否かを判別するために、録画防止用の穴の有無を検出するようにしなければならなかった。また、録画防止用の穴を塞ぐツメが折られたカセットテープに録画する場合、カセットテープの録画防止用の穴にテープ等を貼り付けて、その穴を塞がなければならなかった。
【０００３】従来の技術としては、カセットテープが装着されたとき、カセットテープの録画防止用の穴の有無を検出して、カセットテープの録画防止用の穴が検出されたとき、カセットテープの録画不可能を表示し、カセットテープの録画不可能が表示されたとき、録画スイッチを操作することにより、そのカセットテープを録画可能にしたものがあった（例えば、特許文献１参照）。
【０００４】
【特許文献１】実開平４−２３３０号公報
【０００５】
【発明が解決しようとする課題】しかしながら、従来の技術においては、カセットテープが装着されたとき、カセットテープの録画防止用のツメの有無を検出して、カセットテープの録画防止用のツメの無が検出されたとき、カセットテープの録画不可能を表示し、カセットテープの録画不可能が表示されたとき、録画スイッチを操作することにより、そのカセットテープを録画可能にすることができたが、カセットテープの録画防止用のツメの有無を検出しなければならず、録画防止用のツメの無のカセットテープであっても、誤って録画スイッチが操作されると録画されるという問題点があった。
【０００６】本発明は、従来の技術の有するこのような問題点に鑑みてなされたものであり、その目的とするところは、カセットテープの録画防止用の穴の有無を検出せずに、カセットテープの録画可能／不可能を設定して、誤って録画を指令する録画キーが押下されたときであっても、カセットテープの録画を防止することができるビデオ装置及びそのリモコン装置を提供しようとするものである。
【０００７】
【課題を解決するための手段】上記目的を達成するため本発明においては、カセットテープに映像音声信号を録画再生するビデオ装置において、カセットテープの録画を指令する録画指令手段と、カセットテープの録画可能／不可能を設定する設定手段と、前記設定手段により設定された録画可能／不可能を記憶する記憶手段と、前記記憶手段に記憶されている録画可能／不可能を判別する判別手段と、前記判別手段により判別された判別結果に基づいて、カセットテープの録画を制御する制御手段と、カセットテープの録画の警告と録画不可能とを表示する表示手段とを備え、前記設定手段によりカセットテープの録画可能／不可能を設定して、設定された録画可能／不可能を前記記憶手段に記憶し、録画不可能に設定されている場合、前記録画指令手段により録画が指令されたとき、前記表示手段により録画不可能を表示して録画を防止し、録画可能に設定されている場合、前記録画指令手段により録画が指令されたとき、前記表示手段により録画の警告を表示して録画を防止し、前記表示手段により録画の警告が表示されている場合に前記録画指令手段により録画が指令されたとき、録画することができるようにする。
【０００８】前記記憶手段は、不揮発性メモリとするとよい。これにより、ビデオ装置の電源がＯＦＦになった場合でも、設定された録画可能／不可能の設定を保持することができる。
【０００９】また、カセットテープの録画を警告する第１の警告手段を備え、録画可能に設定されている場合、前記録画指令手段により録画が指令されたとき、前記第１の警告手段により録画を警告するようにする。
【００１０】前記第１の警告手段は、赤色ＬＥＤとするとよい。そして、録画可能に設定されている場合、カセットテープの録画が指令されたとき、赤色ＬＥＤを点滅して録画を警告するようにするとよい。
【００１１】ビデオ装置を遠隔操作するリモコン装置であって、ビデオ装置の動作を指令する複数の指令手段と、前記指令手段により録画が指令されたか否かを判別する判別手段と、録画を警告する第２の警告手段とを備え、前記指令手段により録画が指令されたとき、前記第２の警告手段により録画を警告するようにする。
【００１２】前記第２の警告手段は、赤色ＬＥＤとするとよい。そして、カセットテープの録画が指令されたとき、赤色ＬＥＤを点滅して録画を警告するようにするとよい。
【００１３】これらの手段により、カセットテープの録画防止用の穴の有無を検出せずに、カセットテープの録画可能／不可能を設定して、誤って録画を指令する録画キーが押下されたときであっても、カセットテープの録画を防止することができる。
【００１４】
【発明の実施の形態】以下、適宜図面を参照しながら本発明の実施の形態を詳述する。図１は本発明の実施の形態に係るビデオ装置及びそのリモコン装置の構成を示すブロック図であり、図２は本発明の実施の形態に係るビデオ装置の表示例を示す図であり、図３は本発明の実施の形態に係るビデオ装置の動作を示すフローチャートであり、図４は本発明の実施の形態に係るビデオ装置のリモコン装置の動作を示すフローチャートである。
【００１５】まず、図１の本発明の実施の形態に係るビデオ装置及びそのリモコン装置の構成を示すブロック図を基に説明する。
【００１６】ビデオ装置１０は、アンテナ１９により受信された電波から選択されたチャンネルのテレビ放送を受信するチューナ１１と、カセットテープの録画と再生とを行う録画再生部１２と、録画の警告等の文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１３と、ビデオ装置１０のシステム全体を制御するマイコン１４と、カセットテープの録画を不可能にする録画セーフティモードの設定、或いは録画セーフティモードの解除等の各種設定データを記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１５と、操作する毎に、録画セーフティモードの設定と解除とを切り換える録画セーフティキー１６と、リモコン装置２０から送信された赤外線信号のリモコン信号を受信して、所定の電気信号に変換するリモコン受信部１７と、ビデオ装置の前面に設けられた、赤色光を発光する赤色ＬＥＤ１８とで構成されている。
【００１７】また、ビデオ装置１０のリモコン装置２０は、ビデオ装置１０の動作を指令する赤外線信号のリモコン信号を送信するリモコン送信部２１と、リモコン装置２０のシステムを制御するマイコン２２と、カセットテープの録画を指令する録画キー、カセットテープの再生を指令する再生キー等、ビデオ装置１０の動作を指令する複数の操作キー（いずれも詳細図示せず）が設けられたキー入力部２３と、リモコン装置のキー入力部２３に設けられた、赤色光を発光する赤色ＬＥＤ２４とで構成されている。
【００１８】以上のように構成されたビデオ装置及びそのリモコン装置について、以下その動作について説明する。
【００１９】ビデオ装置１０の録画セーフティキー１６が押下されると、マイコン１４は、ＥＥＰＲＯＭ１５に記憶されている録画セーフティモードの設定／解除を読み出して、録画セーフティモードが解除されている場合、録画セーフティモードに設定して、録画セーフティモードの設定をＥＥＰＲＯＭ１５に記憶し、ＯＳＤ回路１３に制御信号を送出して、録画セーフティモードの設定をモニタ装置３０の画面３０ａに表示し（図２（ａ）参照）、録画セーフティモードに設定されている場合、録画セーフティモードを解除して、録画セーフティモードの解除をＥＥＰＲＯＭ１５に記憶し、ＯＳＤ回路１３に制御信号を送出して、録画セーフティモードの解除をモニタ装置３０の画面３０ａに表示する（図２（ｂ）参照）。
【００２０】リモコン装置２０のキー入力部２３のいずれかの操作キーが押下されると、リモコン装置２０のマイコン２２は、カセットテープの録画を指令する録画キーが押下されたか否かを判断し、録画キーが押下された場合、リモコン装置２０の操作キー面に設けられた赤色ＬＥＤ２４を点滅して録画を警告し、押下された録画キーの赤外線信号のリモコン信号を送信する。また、マイコン２２は、録画キー以外の操作キーが押下された場合、赤色ＬＥＤ２４を点滅せずに、押下された操作キーの赤外線信号のリモコン信号を送信する。
【００２１】リモコン装置２３から送信された赤外線信号のリモコン信号がビデオ装置１０のリモコン受信部１７により受信されると、リモコン受信部１７により受信された赤外線信号のリモコン信号が所定の電気信号に変換され、マイコン１４に送出される。ビデオ装置１０のマイコン１４は、リモコン信号を受信すると、リモコン装置２０から送信されたリモコン信号がカセットテープの録画を指令する録画キーのリモコン信号であるか否かを判断し、リモコン受信部１７により受信されたリモコン信号が録画を指令するリモコン信号である場合、マイコン１４は、ＥＥＰＲＯＭ１５に記憶されている録画セーフティモードの設定／解除を読み出して、録画セーフティモードに設定されているか否かを判断し、録画セーフティモードに設定されている場合、録画セーフティモードに設定されていて、カセットテープの録画ができない旨をモニタ装置３０の画面３０ａに表示する（図２（ｃ）参照）。
【００２２】また、録画セーフティモードが解除されている場合、カセットテープの録画を指令する録画キーのリモコン信号を受信すると、マイコン１４は、ビデオ装置１０の前面に設けられた赤色ＬＥＤ１８を点滅して録画を警告し、ＯＳＤ回路１３に制御信号を送出して、カセットテープに録画すると記録が消去される旨の録画の警告表示をモニタ装置３０の画面３０ａに表示する（図２（ｄ）参照）。そして、マイコン１４は、カセットテープに録画すると記録が消去される旨の録画の警告表示をモニタ装置３０の画面３０ａに表示している場合に、リモコン装置２０から送信された録画キーのリモコン信号を再度受信すると、ビデオ装置１０の前面に設けられた赤色ＬＥＤ１８を点灯して、カセットテープの録画を開始する。
【００２３】また、リモコン装置２０から送信されたリモコン信号が録画を指令するのリモコン信号でない場合、マイコン１４は、リモコン装置２０から送信されたリモコン信号により指令された、カセットテープの再生等の動作を実行する。
【００２４】また、図３の本発明の実施の形態に係るビデオ装置の動作を示すフローチャートを基に説明する。
【００２５】ビデオ装置の録画セーフティキーが押下されるか、或いはリモコン装置から送信された赤外線信号のリモコン信号が受信されると、ステップＳ１からステップＳ２に進み、ビデオ装置の録画セーフティキーが押下されたか否かが判断され、ビデオ装置の録画セーフティキーが押下された場合、ステップＳ３に進み、ビデオ装置の録画セーフティキーが押下されていない場合、ステップＳ６に進む。
【００２６】ステップＳ３で、録画セーフティモードに設定されているか否かが判断され、録画セーフティモードに設定されている場合、ステップＳ４に進み、録画セーフティモードに設定されていない場合、ステップＳ５に進む。
【００２７】ステップＳ４で、録画セーフティモードが解除されて、録画セーフティモードの解除がメモリに記憶され、録画セーフティモードの解除がモニタ装置の画面に表示されて（図２（ｂ）参照）、ステップＳ１３に進んで処理を終了する。
【００２８】ステップＳ５で、録画セーフティモードに設定されて、録画セーフティモードの設定がメモリに記憶され、録画セーフティモードの設定がモニタ装置の画面に表示されて（図２（ａ）参照）、ステップＳ１３に進んで処理を終了する。
【００２９】ステップＳ６で、リモコン装置から送信されたリモコン信号が録画キーのリモコン信号であるか否かが判断され、リモコン装置から送信されたリモコン信号が録画キーのリモコン信号である場合、ステップＳ７に進み、リモコン装置から送信されたリモコン信号が録画キーのリモコン信号でない場合、ステップＳ１１に進む。
【００３０】ステップＳ７で、録画セーフティモードに設定されているか否かが判断され、録画セーフティモードに設定されている場合、ステップＳ１２に進み、録画セーフティモードに設定されていない場合、ステップＳ８に進む。
【００３１】ステップＳ８で、ビデオ装置の前面に設けられた赤色ＬＥＤが点滅して録画が警告され、録画の警告表示がモニタ装置の画面に表示されて（図２（ｄ）参照）、ステップＳ９に進む。
【００３２】ステップＳ９で、リモコン装置から送信された録画キーのリモコン信号が再度受信されたか否かが判断され、録画キーのリモコン信号が再度受信された場合、ステップＳ１０に進み、録画キーのリモコン信号が再度受信されていない場合、ステップＳ１３に進んで処理を終了する。
【００３３】ステップＳ１０で、ビデオ装置の前面に設けられた赤色ＬＥＤが点灯して、カセットテープの録画が開始され、ステップＳ１３に進んで処理を終了する。
【００３４】ステップＳ１１で、リモコン装置から送信されたリモコン信号により指令された動作が実行され、ステップＳ１３に進んで処理を終了する。
【００３５】ステップＳ１２で、録画セーフティモードに設定されていて、カセットテープの録画不可能である旨がモニタ装置の画面に表示され（図２（ｃ）参照）、ステップＳ１３に進んで処理を終了する。
【００３６】また、図４の本発明の実施の形態に係るビデオ装置のリモコン装置の動作を示すフローチャートを基に説明する。
【００３７】リモコン装置のキー入力部のいずれかの操作キーが押下されると、ステップＳ２１からステップＳ２２に進み、ステップＳ２２で、カセットテープの録画を指令する録画キーが押下されたか否かが判断され、録画キーが押下された場合、ステップＳ２３に進み、録画キーが押下されていない場合、ステップＳ２４に進む。
【００３８】ステップＳ２３で、リモコン装置のキー入力部に設けられた赤色ＬＥＤが点滅して録画が警告され、ステップＳ２４に進む。
【００３９】ステップＳ２４で、押下された操作キーのリモコン信号が送信されて、ステップＳ２５に進んで処理を終了する。
【００４０】以上、本発明の実施の形態について詳述したが、本発明はこれに限らず、当業者の通常の知識の範囲内でその変形や改良が可能である。例えば、録画セーフティキーにより録画可能／不可能を設定することを説明したが、録画セーフティモードの設定／解除を設定する設定画面をモニタ装置に表示し、設定画面に表示された録画セーフティモードの設定／解除を選択して、カセットテープの録画可能／不可能を設定するようにしてもよい。
【００４１】
【発明の効果】以上説明してきたように、本発明によるビデオ装置によれば、録画セーフティキーにより録画セーフティモードに設定、或いは録画セーフティモードを解除して、録画セーフティモードの設定／解除を不揮発性メモリに記憶し、録画セーフティモードに設定されている場合、録画が指令されたとき、カセットテープの録画不可能をモニタ装置の画面に表示して録画を防止し、録画セーフティモードが解除されている場合、ビデオ装置に設けられた赤色ＬＥＤを点滅して録画を警告するとともに、録画の警告をモニタ装置の画面に表示して録画防止し、モニタ装置の画面に録画の警告が表示されている場合に録画が指令されたとき、録画するようにすることができる。このことにより、カセットテープの録画可能／不可能を設定して、誤って録画を指令する録画キーが押下されたときであっても、カセットテープの録画を防止することができる。
【００４２】請求項１記載の発明に係るビデオ装置は、カセットテープの録画可能／不可能を設定して、設定された録画可能／不可能を記憶し、録画不可能に設定されている場合、録画が指令されたとき、録画を警告するとともに、録画不可能を表示して録画を防止し、録画可能に設定されている場合、録画が指令されたとき、録画を警告するとともに、録画の警告を表示して録画を防止し、録画の警告が表示されている場合に録画が指令されたとき、録画を警告して録画することができるようにしている。
【００４３】請求項２記載の発明に係るビデオ装置は、カセットテープの録画可能／不可能を設定して、設定された録画可能／不可能を記憶し、録画不可能に設定されている場合、録画が指令されたとき、録画不可能を表示して録画を防止し、録画可能に設定されている場合、録画が指令されたとき、録画の警告を表示して録画を防止し、録画の警告が表示されている場合に録画が指令されたとき、録画することができるようにしている。
【００４４】請求項３記載の発明に係るビデオ装置は、録画可能／不可能の設定を不揮発性メモリに記憶して、電源がＯＦＦになった場合でも、設定された録画可能／不可能の設定を保持することができるようにしている。
【００４５】請求項４記載の発明に係るビデオ装置は、録画可能に設定されている場合、録画が指令されたとき、録画を警告するようにしている。
【００４６】請求項５記載の発明に係るビデオ装置は、録画可能に設定されている場合、録画が指令されたとき、赤色ＬＥＤを点滅して録画を警告するようにしている。
【００４７】請求項６記載の発明に係るビデオ装置のリモコン装置は、録画が指令されたとき、録画を警告するようにしている。
【００４８】請求項７記載の発明に係るビデオ装置のリモコン装置は、録画が指令されたとき、赤色ＬＥＤを点滅して録画を警告するようにしている。
【図面の簡単な説明】
【図１】本発明の実施の形態に係るビデオ装置及びそのリモコン装置の構成を示すブロック図である。
【図２】本発明の実施の形態に係るビデオ装置の表示例を示す図である。
【図３】は本発明の実施の形態に係るビデオ装置の動作を示すフローチャートである。
【図４】本発明の実施の形態に係るビデオ装置のリモコン装置の動作を示すフローチャートである。
【符号の説明】
１０  ビデオ装置
１１  チューナ
１２  録画再生部
１３  ＯＳＤ回路
１４、２２  マイコン
１５  ＥＥＰＲＯＭ
１６  録画セーフティキー
１７  リモコン受信部
１８、２４  赤色ＬＥＤ
１９  アンテナ
２０  リモコン装置
２１  リモコン送信部
２３  キー入力部
３０  モニタ装置
３０ａ  画面
【図１】
2004220660.tif 000003
【図２】
2004220660.tif 000004
【図３】
2004220660.tif 000005
【図４】
2004220660.tif 000006